(57)【特許請求の範囲】
【請求項１】
縦方向及び横方向を有し、肌対向面及び非肌対向面と、前ウエスト域を形成する前パネルと、後ウエスト域を形成する後パネルと、股下域を形成する股下パネルと、前記前後パネルの両側縁部がシール域において互いに接合されて画定されたウエスト開口と一対のレッグ開口とを含む使い捨て着用物品において、
前記後パネルは、前記後ウエスト域を形成する主体部と、前記主体部から前記縦方向の内側へ延びる臀部カバー部とを有し、
前記臀部カバー部の両側縁部には、その一部を前記縦方向において互いに折り重ねて形成されたタックが位置し、
前記臀部カバー部は、前記横方向へ延びる臀部弾性体をさらに有し、前記タックと前記臀部弾性体とが、平面視において互いに重なっていないことを特徴とする前記使い捨て着用物品。
【請求項２】
前記シール域が前記臀部カバー部の前記両側縁部にまで延びており、前記タックにおいて重なり合う部分が前記シール域を介して互いに接合される請求項１に記載の着用物品。
【請求項３】
前記臀部弾性体が、前記縦方向において並ぶ複数条の弾性体から形成されており、前記タックが前記弾性体間の離間部分に位置する請求項１又は２に記載の着用物品。
【請求項４】
前記後パネルは、前記肌対向面側に位置する内層シートと、前記非肌対向面側に位置する外層シートとをさらに有し、前記臀部カバー部において、前記内層シートと前記外層シートとが前記臀部弾性体の全周に塗布された接着剤を介してのみ接合される請求項１〜３のいずれかに記載の着用物品。
【発明の詳細な説明】
【技術分野】
【０００１】
本発明は、使い捨ておむつ、使い捨てのおむつカバー等の使い捨て着用物品に関する。
【背景技術】
【０００２】
従来、着用者の臀部を被覆する臀部カバー部を備えた使い捨て着用物品は公知である。例えば、特許文献１には、前ウエスト域を形成する前パネルと、後ウエスト域を形成する後パネルと、股下域を形成する股下パネルとを含み、後パネルは前パネルの下端部よりも下方に延び、かつ、股下パネルの横方向外側に位置する臀部カバー部（下方延出部）を有する。
【先行技術文献】
【特許文献】
【０００３】
【特許文献１】特表２００８−５０８０８２号公報（Ｐ２００８−５０８０８２Ａ）
【発明の概要】
【発明が解決しようとする課題】
【０００４】
特許文献１に開示された使い捨て着用物品においては、臀部カバー部全体に横方向へ延びる複数条の臀部弾性体が伸長状態で収縮可能に取り付けられている。そのために、着用状態において、臀部弾性体が伸長されることによって臀部カバー部は着用者の臀部にフィットされる。
【０００５】
しかし、臀部カバー部は、臀部弾性体の収縮力によって臀部に対して平面的に当接されるので、凸曲状の臀部形状に沿うような外形をなすものではなく、着用中に臀部から移動して臀裂に食い込むおそれがある。また、かかる事態を避けるために、臀部弾性体を配置しない場合には、臀部カバー部全体が臀部から離間した状態となり、着用者の動きによってヒラついて臀部が露出するおそれがある。
【０００６】
本発明は、従来の使い捨て着用物品の改良であって、臀部全体を包み込むような外形を有する臀部カバー部を備えた使い捨て着用物品の提供を課題にしている。
【課題を解決するための手段】
【０００７】
前記課題を解決するために、本発明は、縦方向及び横方向を有し、肌対向面及び非肌対向面と、前ウエスト域を形成する前パネルと、後ウエスト域を形成する後パネルと、股下域を形成する股下パネルと、前記前後パネルの両側縁部がシール域において互いに接合されて画定されたウエスト開口と一対のレッグ開口とを含む使い捨て着用物品に関する。
【０００８】
本発明に係る使い捨て着用物品は、前記後パネルは、前記後ウエスト域を形成する主体部と、前記主体部から前記縦方向の内側へ延びる臀部カバー部とを有し、前記臀部カバー部の両側縁部には、その一部を前記縦方向において互いに折り重ねて形成されたタックが位置し、前記臀部カバー部は、前記横方向へ延びる臀部弾性体をさらに有し、前記タックと前記臀部弾性体とが、平面視において互いに重なっていないことを特徴とする。
【０００９】
前記シール域が前記臀部カバー部の前記両側縁部にまで延びており、前記タックにおいて重なり合う部分が前記シール域を介して互いに接合される。
【００１０】
かかる着用物品では、シール域によってタックが形成、維持されているので、着用中にタックが解かれるおそれはない。
【００１３】
前記臀部弾性体が、前記縦方向において並ぶ複数条の弾性体から形成されており、前記タックが前記弾性体どうしの離間部分に位置する。
【００１４】
かかる着用物品では、タックが臀部弾性体を構成する複数条の弾性体どうしの離間部分に位置することから、タックの縦方向の内側部分及び外側部分が身体にフィットされて、着用中にタックが解かれるのを防止することができる。
【００１５】
前記後パネルは、前記肌対向面側に位置する内層シートと、前記非肌対向面側に位置する外層シートとをさらに有し、前記臀部カバー部において、前記内層シートと前記外層シートとが前記臀部弾性体の全周に塗布された接着剤を介して接合される。
【００１６】
かかる着用物品では、臀部カバー部が臀部弾性体の全周に塗布した接着剤を介して接合されており、臀部弾性体が配置されていない非弾性域では非接合の状態にあるから、臀部カバー部全体が柔軟性に優れ、臀部を包み込むような湾曲状を呈する。
【発明の効果】
【００１７】
本発明に係る使い捨て着用物品においては、臀部カバー部は、臀部の形状に沿う湾曲状を呈し、臀部を包み込むようにフィットされる。
【図面の簡単な説明】
【００１８】
図面は、本発明の特定の実施の形態を示し、発明の不可欠な構成ばかりでなく、選択的及び好ましい実施の形態を含む。
【図１】着用状態における、本発明に係る使い捨て着用物品の正面図。
【図２】各弾性体の最大伸長時（弾性材料の収縮作用によるギャザーがなくなる程度）まで縦方向及び横方向に伸展した着用物品の一部破断展開平面図。
【図３】図１のＩＩＩで囲んだ領域の一部拡大図。
【図４】図３のＩＶ−ＩＶ線に沿う断面図。
【図５】着用状態における、着用物品の斜視図。
【図６】着用物品の製造工程の一部を示す図。
【図７】着用物品の製造工程のシール形成部における台座の拡大図。
【図８】シール形成部の様子を示す図。
【図９】変形例の一例における図３と同様の図。
【発明を実施するための形態】
【００１９】
下記の各実施の形態は、図１〜図９に示す使い捨て着用物品の一例として示す使い捨てのおむつ１０に関し、発明の不可欠な構成ばかりではなく、選択的及び好ましい構成を含む。
【００２０】
図１〜図４を参照すると、おむつ１０は、縦方向Ｙ及びそれに交差する横方向Ｘと、肌対向面及びその反対側に位置する非肌対向面と、環状の弾性ウエストパネル１１と、弾性ウエストパネル１１の肌対向面に固定された股下パネル１２と、前ウエスト域１３と、後ウエスト域１４と、前後ウエスト域１３，１４間を縦方向Ｙへ延びる股下域１５とを含む。弾性ウエストパネル１１は、前ウエスト域１３を形成する前パネル１６と、後ウエスト域１４を形成する後パネル１７とから構成されている。おむつ１０は、その基本構成において、横方向Ｘの寸法を２等分する縦中心線Ｐに関して対称である。
【００２１】
前後パネル１６，１７は、それぞれ、股下パネル１２と交差して、横方向Ｘへ延びる内端縁１６ａ，１７ａと、縦方向Ｙにおいて内端縁１６ａ，１７ａと離間対向して横方向Ｘへ延びる外端縁１６ｂ，１７ｂと、内外端縁１６ａ，１６ｂ，１７ａ，１７ｂ間において互いに横方向Ｘに離間対向して縦方向Ｙへ延びる両側縁１６ｃ，１６ｄ，１７ｃ，１７ｄとによって、横長矩形状に画定されている。また、後パネル１７は、後ウエスト域１４を形成する後ウエスト主体部（主体部）１８と、股下パネル１２の横方向Ｘの外側に位置し、後ウエスト主体部１８から股下域１５側へ延びて着用者の臀部と対向する一対の臀部カバー部１９とを有する。
【００２２】
前パネル１６の両側縁部（前ウエスト域１３の両側縁部）と後パネル１７の両側縁部（後ウエスト域１４の両側縁部）とは、互いに重ね合されて、縦方向Ｙへ断続的に配置された複数のサイドシール２２を有するシール域２４によって互いに接合され、ウエスト開口２５と一対のレッグ開口２６とが画定される（図５参照）。前記接合は、公知の接合手段、例えば、熱エンボス、超音波加工等による熱溶着手段によってなされる。
【００２３】
図３及び図４を参照すると、シール域２４は、前後ウエスト域１３，１４の両側縁部を互いに連結する第１シール区域２４Ａと、臀部カバー部１９の両側縁部４２に位置する第２シール区域２４Ｂとを有する。第１シール区域２４Ａと第２シール区域２４Ｂとにおいて、シール部２２は縦方向Ｙに等間隔に配置されている。シール部２２は、横方向へ延びるライン状であるが、ドット状、矩形等の各種公知の形状であって、公知の接合パターンで配置されていてもよい。また、シール部２２間は、等間隔ではなく、異なる離間寸法において離間していてもよい。
【００２４】
前後パネル１６，１７は、それぞれ、肌対向面側に位置する内層シート２０と、非肌対向面側に位置する外層シート２１とを有する。内外層シート２０，２１は、熱溶着性繊維を含む、例えば、質量１５〜３０ｇ／ｍ２の不透液性のＳＭＳ（スパンボンド・メルトブローン・スパンボンド）繊維不織布やスパンボンド不織布、またはプラスチックシート、繊維不織布とプラスチックシートとのラミネートシート等から形成される。
【００２５】
前パネル１６には、両シート２０，２１間において横方向Ｘへ延びる複数条のストランド状又はストリング状の前ウエスト弾性体２８が伸長状態で収縮可能に配置される。前パネル１６は、前ウエスト弾性体２８が配置されることによって、少なくとも横方向Ｘへ弾性化されている。
【００２６】
前ウエスト弾性体２８は、前パネル１６の外端縁１６ｂ（前ウエスト域の外端縁）に沿って横方向Ｘへ延びる複数条の上方前ウエスト弾性体２８Ａと、上方前ウエスト弾性体２８Ａの縦方向Ｙの内側において横方向Ｘへ延びる複数条の下方前ウエスト弾性体２８Ｂとを有する。下方前ウエスト弾性体２８Ｂは、前パネル１６の両側縁１６ｃ，１６ｄから股下パネル１２に位置する後記の吸収性コア３１の両側縁３１ｃ，３１ｄまで延びており、吸収性コア３１と平面視において（厚さ方向Ｚにおいて）重なっていない。したがって、前パネル１６は、前ウエスト弾性体２８（下方前ウエスト弾性体２８Ｂ）の収縮力が作用する弾性域と、かかる収縮力が直接作用してない、吸収性コア３１の存在域からなる非弾性域３８とを有する（図１参照）。このように、前ウエスト弾性体２８の収縮力が吸収性コア３１に直接作用しないことによって、吸収性コア３１にその吸収性能を低下させるようなギャザーやよれが生じるのを抑制することができる。
【００２７】
後パネル１７には、内外層シート２０，２１間において横方向Ｘへ延びる複数条のストランド状又はストリング状の後ウエスト弾性体２９と臀部弾性体３９とが伸長状態で収縮可能に配置される。後パネル１７は、後ウエスト弾性体２９と臀部弾性体３９とが配置されることによって、少なくとも横方向Ｘへ弾性化されている。
【００２８】
後ウエスト弾性体２９は、後ウエスト主体部１８に位置し、後パネル１７の外端縁（後ウエスト域の外端縁）１７ｂに沿って横方向Ｘへ延びる複数条の上方後ウエスト弾性体２９Ａと、上方後ウエスト弾性体２９Ａの縦方向Ｙの内側において横方向Ｘへ延びる複数条の下方後ウエスト弾性体２９Ｂとを有する。一方、臀部弾性体３９は、臀部カバー部１９の両側縁部４２間において横方向Ｘへ延びている。なお、本実施形態において、臀部弾性体３９として１条の弾性材料のみが配置されているが、複数条の弾性材料が配置されていてもよい。
【００２９】
上方前ウエスト弾性体２８Ａと上方後ウエスト弾性体２９Ａとは、線径が４００〜５００ｄｔｅｘ、縦方向Ｙの離間寸法（ピッチ）が約２．０〜３．５ｍｍであって、２．２〜２．６倍に伸長された状態で収縮可能に取り付けられている。また、下方前ウエスト弾性体２８Ｂと下方後ウエスト弾性体２９Ｂとは、線径が４５０〜５５０ｄｔｅｘ、離間寸法が約３．５〜５．５ｍｍであって、１．８〜２．４倍に伸長された状態で収縮可能に取り付けられている。また、臀部弾性体３９は、線径が４５０〜５５０ｄｔｅｘ、離間寸法が２．０〜３．５ｍｍであって、２．２〜２．６倍に伸長された状態で収縮可能に取り付けられている。また、図２を参照すると、最下に位置する下方後ウエスト弾性体２９Ｂと臀部弾性体３９との縦方向Ｙにおける離間寸法Ｒ１は、３．０〜６．０ｃｍである。
【００３０】
前パネル１６の側縁部の縦方向Ｙの寸法（前ウエスト域１３の側縁部の縦方向Ｙの寸法）Ｌ１は約９０−１４０ｍｍであって、後パネル１７の側縁部の縦方向Ｙの寸法（後ウエスト域１４の側縁部の縦方向Ｙの寸法）Ｌ２は約１２０−１９０ｍｍであって、後ウエスト主体部１８の縦方向Ｙの寸法Ｌ３は約８０−１３０ｍｍ、臀部カバー部１９の縦方向Ｙの寸法Ｌ４は約３０−７０ｍｍである。
【００３１】
前後パネル１６，１７を形成する内層シート２０と外層シート２１とは、それらの間に介在された各弾性体２８，２９，３９の全周に塗布されたホットメルト接着剤を介して互いに接合される。このように、両シート２０，２１の内面全体が接合されていないことによって、前後パネル１６，１７は柔軟性に優れる。ただし、本実施形態に係る技術的効果を奏する限りにおいて、各弾性体２８，２９，３９の全周に塗布されたホットメルト接着剤に加えて、またはその代わりに両シート２０，２１の内面に塗布したホットメルト接着剤を介して互いに接合されていてもよい。
【００３２】
図２を参照すると、股下パネル１２は、横方向Ｘへ延びる前後端縁１２ａ，１２ｂと、それらの間において縦方向Ｙへ延びる両側縁１２ｃ，１２ｄとによって画定された、股下域１５から前後ウエスト域１３，１４に延びる縦長方形状を有する。股下パネル１２は、前ウエスト域１３の内面に位置する前端部と、後ウエスト域の内面に位置する後端部と、前後端部間に位置する中間部とをさらに有する。
【００３３】
股下パネル１２は、被覆シート３０と、被覆シート３０の身体対向面（内面）に配置された吸収性コア３１と、吸収性コア３１の肌対向面側に位置する透液性シートから形成された身体側ライナー３２と、吸収性コア３１と被覆シート３０との間に位置する防漏シート３３とを有する。本実施形態において、着用物品１０は、３つの別体のパネル部材１２，１６，１７から構成されているが、後記の本発明の効果を奏する限りにおいて、本発明のおむつ１０は、前ウエスト域１３と後ウエスト域１４とが別体ではなく一体の環状パネルから形成されていてもよいし、前後ウエスト域１３，１４と股下域１５とが、一体に形成されたおむつ１０の外形をなすシャーシから構成されてもよい。
【００３４】
吸収性コア３１は、両端縁と、それらの間において縦方向Ｙへ延びる両側縁３１ｃ，３１ｄとから外形輪郭をなし、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成される。吸収性コア３１は、親水性かつ液拡散性を有する不織布又はティッシュペーパから形成されたコアカバーシート（図示せず）によって包被される。コアカバーシートは、身体側ライナー３１及び／又は防漏シート３３とホットメルト接着剤を介して接合される。
【００３５】
被覆シート３０は、吸収性コアが配置された中央部と、中央部の両側に位置する両側部とを有する。両側部は、それぞれ、横方向Ｘの内側に折り曲げられており、中央部に固定された両端固定部と、両端固定部間において縦方向Ｙへ延び、かつ、中央部及び防漏シートに固定された固定側部（近位部）３４と、おむつ１０の展開された状態において固定側部３４の横方向Ｘの内側（又は外側）に位置する自由部（遠位部）３５とを有する。自由部３５のうちの自由縁部３５ａは、被覆シート３０の側縁部を折り曲げて形成されており、自由縁部３５ａの内部には、縦方向Ｙへ延びるカフ弾性体３６が伸長状態で収縮可能に取り付けられる。おむつ１０の着用状態において、カフ弾性体３６が収縮して自由縁部３５ａが身体側ライナー３２から起立し、排泄物の横漏れを抑制しうる防漏カフスが形成される。
【００３６】
吸収性コア３１の両側縁３１ｃ，３１ｄの横方向Ｘの外側に位置する両側部であって被覆シートの固定側部３４には、縦方向Ｙへ延びるレッグ弾性体３７が伸長状態で収縮可能に取り付けられている。このように、レッグ弾性体３７が両側部に取り付けられていることによって、両側部にはレッグ弾性体３７の収縮力が作用する縦方向Ｙへ伸縮可能なレッグ弾性域が形成される。両側部にレッグ弾性域が位置することによって、着用者の大腿部に対するフィット性が向上し、排泄物の横漏れを防止しうる。
【００３７】
図３及び図４を参照すると、臀部カバー部１９は、後ウエスト域１４の両側縁部の一部である両側縁部４２を有する。また、臀部カバー部１９は、臀部弾性体３９が配置された弾性部４０と、弾性部４０の上方（縦方向Ｙの外側）に位置する、臀部弾性体３９が配置されていない非弾性部（被覆部）４１とを有する。臀部カバー部１９の両側縁部４２の略中央部では、両側縁部４２の一部分を上下方向において折り重ねることによって形成されたタック５０が形成されている。
【００３８】
臀部カバー部１９は、通常、前後ウエスト域を形成するパネル部材に比して、剛性が低く、着用中にひらひらとして身体から離間する方向へ移動するおそれがあり、下着等の衣服内において一部が折れ曲がったり反り返ったりして、臀部が露出してしまうことがある。かかる不利益を防止するために、臀部カバー部を構成するシート部材に比較的に単位面積当たりの質量が高いシート材料を用いたり、全体に複数条の弾性部材を配置する等して剛性を比較的に高くした場合には、外形が平面的になって、凸曲状をなす臀部に形状に沿うようにフィットされることができない。
【００３９】
図４を参照すると、本実施形態に係るおむつ１０においては、臀部カバー部１９の両側縁部４２の一部が縦方向Ｙ（上下方向）に折り重ねられてタック５０が形成されていることによって、タック５０から下方に延びる部分が身体へ向かって移動し、臀部カバー部１９は着用者の臀部形状に沿う湾曲状を有している。このように、臀部カバー部１９が臀部形状に沿う湾曲状を有することによってフィット性が向上するとともに、臀部カバー部１９全体に弾性体が配置されていないことから比較的に剛性が低く、柔軟性に優れる。また、臀部カバー部１９の内端部（下端部）に臀部弾性体３９が配置された弾性部４０が位置することによって、内端部が着用者の肌にフィットされるので、それより上方に位置する、臀部弾性体３９の配置されていない非弾性部４１は臀部を包込むような形態をなすことができる。
【００４０】
また、タック５０を形成する部分は、第２シール区域２４Ｂの中央シール２２Ａを介しておむつ１０の平面視において互いに重なり合って接合されている。中央シール２２Ａは、単数又は複数の溶着シールされた部分であって、両側縁部４２の肌対向面側に位置する第１部分（内側部分）５１と非肌対向面側に位置する第２部分（外側部分）５２とが中央シール２２Ａを介して互いに固定されている。タック５０に中央シール２２Ａが位置することによって、折り重ねられた状態が維持され、おむつ１０の着用中に不用意にタック５０が解かれてしまうことはない。
【００４１】
また、タック５０は、平面視において臀部弾性体３９と互いに重なっていない。タック５０が臀部弾性体３９の配置された弾性部４０に位置する場合には、臀部弾性体３９が位置して比較的に剛性が高くなる両側縁部４２の一部を折り重ねることになって比較的にタックの形成が困難であるところ、本実施形態では、臀部弾性体３９が配置さていない、シート部材のみからなる非弾性部４１においてタック５０が形成されているので、その形成工程が比較的に容易である。
【００４２】
以上のように、タック５０では、第２シール区域２４Ｂを介して両側縁部４２の一部が折り重ねられた状態で互いに固定されており、また、臀部弾性体３９と平面視において重なっていないことからその収縮作用によってその折り重ねられた状態が解除されるおそれはなく、臀部カバー部１９は、臀部形状に沿う湾曲状を維持することができる。また、後パネル１７を形成する内層シート２０と外層シート２１とをそれらの間に介在された後ウエスト弾性体２９と臀部弾性体３９との全周に塗布したホットメルト接着剤を介してのみ接合することから、後ウエスト域１４の内端縁（下端縁）１７ａから臀部弾性体３９との間に位置する領域では、内外層シート２０，２１が第２シール域２４Ｂにおいてのみ接合され、第２シール域２４Ｂ間に位置する非弾性部４１においては、両シート２０，２１が互いに接合されていない。このように、タック５０の位置する両側縁部４２間には、内外層シート２０，２１が接合されていない非接合域が位置するので、臀部カバー部１９がより柔軟性に優れ、湾曲状を呈して肌をふんわりと包み込むように覆うことができる。
【００４３】
また、臀部を包み込む非弾性部４１は、弾性部材が配置されていないことによって、表面に凹凸が形成されず、臀部弾性体３９が配置されている弾性部４０に比して平滑性に優れる。したがって、おむつ１０を着用する際、レッグ開口２６に足先を挿し入れたときに、臀部カバー部１９に足先が触れても引っ掛かり難く、引っ掛かりによるシート破れが生じるのを防止することができる。また、臀部カバー部１９が湾曲状を有することから、それが平面状をなす場合に比して、おむつ１０を脱ぐ際に、レッグ開口２６から足先を引き出すときに、足先が臀部カバー部１９に引っ掛かり難くなるといえる。
【００４４】
図６は、本実施形態に係るおむつ１０の製造工程の一部を示す図であって、具体的には、シール域２４を形成するための超音波接合工程の様子を示す図である。図６において、超音波接合工程において、機械方向はＭＤ、機械方向に交差する方向はＣＤで示す。
【００４５】
超音波接合工程に用いられる超音波接合装置７０は、回転方向Ｒを有する回転ドラム７１と、超音波振動を出力する超音波ホーン７２とを備える。回転ドラム７１と超音波ホーン７２とは、機械方向ＭＤへ移動する、おむつ１０の基材となるシート材料及び連続弾性体を含む連続パネル状のワーク８０を介して対向しており、超音波ホーン７２と対向する回転ドラム７１の外周面には、アンビル９０が配置されている。アンビル９０の外周面には、所要のシールパターンをなすシール突起９１が配置されている。超音波ホーン７２とアンビル９０との間を通過するワーク８０のうち、アンビル９０のシール突起９１と超音波ホーン７２との間に挟まれる部分が、超音波ホーン７２から伝達される超音波振動による摩擦熱で溶融シールされる。
【００４６】
ワーク８０は、複数の前パネル１６の基材となる第１連続体８１と複数の後ウエパネル１７の基材となる第２連続体８２と、第１及び第２連続体８１，８２に取り付けられた複数の吸収性パネル８３とを有する。第１及び第２連続体８１，８２には、前後ウエスト弾性体２８，２９の基材となる第１連続弾性体８４が配置されており、第２連続体８２には臀部弾性体３９の基材となる第２連続弾性体８５が配置されている。超音波接合装置７０の上流側に位置するロール７５とその下流側に位置するロール７６とによってアンビル９０の外周面に摺接された状態で機械方向ＭＤへ搬送されている。
【００４７】
図７を参照すると、アンビル９０は、回転ドラム７１の外周面に位置する凹部９２に配置された断面段差状の台座９３を有する。台座９３は、交差方向ＣＤへ並行して延びる一対の凸部９４Ａ，９４Ｂと、それらの間に位置する離間部分９５とを有し、凸部９４Ａ，９４Ｂの外面には、機械方向ＭＤへ延び、かつ、交差方向ＣＤにおいて所定寸法離間した複数のシール突起９１が配置される。シール突起９１の先端形状は、ワーク８０の溶融シールされる部分の形状と同様であって、シール突起９１のパターン形状がシール域２４のパターン形状となる。アンビル９０の一対の凸部９４Ａ，９４Ｂの外面に配置されたシール突起９１によって、ワーク８０のシール溶着部分には、交差方向ＣＤへ延びる２条のシールラインが形成される。
【００４８】
図８を参照すると、ワーク８０のうちの機械方向ＭＤにおいて連なるおむつ１０の両側縁部に対応する箇所がアンビル９０と超音波ホーン７２との間を通過するときに、凸部９４Ａ，９４Ｂと超音波ホーン７２とによって該部分を挟持するように制御されており、挟持された部分が超音波振動による摩擦熱によって融着シールされる。このとき、ワーク８０の第１及び第２連続弾性体８４，８５は、機械方向ＭＤへ伸長された状態で搬送されており、その配置された部分には一定の張力が付与されている。また、前後パネル１６，１７の基材となる第１及び第２連続体８１，８２が重ねられる重畳部（肉厚部分）がアンビル９０と超音波ホーン７２との間に安定的に挟持される一方、第２連続体８２のうちの臀部カバー部１９を形成する延出部(肉薄部分)８７では、第２連続体８２のみが位置することから、重畳部との間に厚さ方向において段差が生じるとともに、挟圧されたときによれやすく形状が安定しないおそれがある。特に、延出部８７において第２連続弾性体８５は延出部８７の外端側に位置することから、第１連続弾性体８４と第２連続弾性体８５との間には非弾性部が位置し、該部分において局所的に張力が変化し、一部が折れ重なってしまうことがある。
【００４９】
このように、ワーク８０の溶着シールされる箇所の一部が折れ重なることによって、ワーク８０の該箇所には、機械方向ＭＤへ延びるタック９８が形成される。ワーク８０を超音波接合工程を通過させた後、切断工程においてシールライン間に位置して交差方向ＣＤへ延びる切断ラインＣＬに沿って切断することによって、タック５０を有する複数のおむつ１０が製造される。このように、通常のおむつ１０の高速製造工程において偶発的にタック５０が形成されることも考えられるが、おむつ１０の製造工程において臀部カバー部１９の両側縁部４２の一部を折り曲げる工程と、その折り曲げられた箇所を溶着シールする工程とを設けることによって、意図的にタック５０をおむつ１０に形成することもできる。よって、例えば、偶発的におむつのタック５０が形成された場合には、その大きさ、形状が均一ではなく異なることがあるが、かかる相違があるとしても、本実施形態に係る発明の技術的効果を奏することができる。また、このように、おむつ１０の製造工程において偶発的にタック５０を有して製造されたおむつ１０を不良ワークとして処理して製造ラインを停止せず、かつ、既述の特徴構成を有するものとして使用、販売することで、製造効率を上げるとともに、製造コストを抑えることができる。
【００５０】
＜変形例＞
図９は、変形例の一例における、図３と同様の図である。本変形例において、臀部弾性体３９は、縦方向Ｙに並ぶ複数条の弾性部材３９Ａ，３９Ｂから形成されており、タック５０は、弾性部材３９Ａ，３９Ｂ間の離間部分６８に配置されている。このように、タック５０が離間部分６８に位置することによって、その縦方向Ｙの内側の部分及び外側の部分が弾性部材３９Ａ，３９Ｂによって身体にフィットされる。それにより、臀部カバー部１９にそれを変形させようとする力が加えられても、タック５０が解かれ難くなり、折り曲げられた状態を維持することができる。
【００５１】
おむつ１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００５２】
１０  使い捨て着用物品（おむつ）
１２  股下パネル
１３  前ウエスト域
１４  後ウエスト域
１５  股下域
１６  前パネル
１７  後パネル
１８  主体部（後ウエスト主体部）
１９  臀部カバー部
２０  内層シート
２１  外層シート
２４  シール域
２５  ウエスト開口
２６  レッグ開口
３９  臀部弾性体
３９Ａ，３９Ｂ  弾性部材
４２  臀部カバー部の両側縁部
５０  タック
６８  離間部分
Ｘ  横方向
Ｙ  縦方向
【図１】
0006415399.tif 000002
【図２】
0006415399.tif 000003
【図３】
0006415399.tif 000004
【図４】
0006415399.tif 000005
【図５】
0006415399.tif 000006
【図６】
0006415399.tif 000007
【図７】
0006415399.tif 000008
【図８】
0006415399.tif 000009
【図９】
0006415399.tif 000010